(57)【要約】本発明の回転型スクリーン移送装置は、従来の電動方式ではなく下部油圧ロープ作動方式で、スクリーンの上部露出部が約１／３程度低くなり、上部の作業台（９）が必要なく、夾雑物移送コンベヤー（３）の設置高さが低くなって、メンテナンス及び管理が容易で、且つ取付費が低減される。またレーキアーム（４）が回転されて原位置に戻れるように回転型にスクリーン（２）を製作して従来の方式に比べて露出部位を低くして製作できるようにする。
2012504712.tif 000002
【特許請求の範囲】
【請求項１】
レーキアーム（４）がスクリーン（２）の移動経路上に備えられ、
スクリーンバー（８）が備えられ、移送コンベヤー（３）が前面に備えられ、
従来に慣用化された技術である油圧シリンダー（１）によってコントロ−ル滑車（１１ａ）（１１ｂ）（１１ｃ）（１１ｄ）と移送滑車（２１ａ）（２１ｂ）（２１ｃ）（３１ａ）（３１ｂ）（３１ｃ）と転換滑車（４１ａ）（４１ｂ）（４１ｃ）（４１ｄ）の引き押し方式の移動ロ−ル（５）が備えられたレーキアーム（４）が上昇及び下降を繰り返すことができるように備えられ、
前記レーキアーム（４）が上部排出部から２７０゜〜３６０゜回転をして、夾雑物が前に排出されるようにするスクリーン（３）と；
前記スクリーン（３）の前面に夾雑物移送コンベヤ（３）が備えられて、前記レーキアーム（４）が容易に移動されるようにする移動ロ−ル（５）と；
前記移動ロ−ル（５）の衝撃を防止して容易に移動するように、移動レールの両側に付着したテフロンパッド（７）と；
下部開始点を正確に合わせて、その間隔を従来のように固定バーを利用して固定させなくても、スクリーンバー（８）の間隔を一定に保持させることができるガイドギア（６）と；
前記スクリーン（３）の上部に前記レーキアーム（４）の方向を転換するために設置された方向転換台（２０）と；
メンテナンス用ホイストの高さを低くすることができて、安全性を高めることができる回転型スクリーン移送装置。
【請求項２】
前記スクリーン（３）の裏側の空間が広くなるので空間を利用することができ、装置全体を小型化させることができて、製造費を低減することができる請求項１に記載の回転型スクリーン移送装置。
【請求項３】
前記ガイドギア（６）は７角錐形に製作されて、異物の除去の時、レーキアーム（４）によって回転されるようにして深く浸透されて、異物をさらによく取り除くことができる請求項１に記載の回転型スクリーン移送装置。
【請求項４】
前記スクリーン（３）の上部には保護カバー（１０）を有し、夾雑物が離脱されないようにしながら、夾雑物が移送コンベヤーによく運搬される請求項１に記載の回転型スクリーン移送装置。
【請求項５】
前記スクリーン（３）の上部に前記レーキアーム（４）の方向を転換するために設置された方向転換台が設置されて、上部に移動の時には方向転換台（２０）がレーキアーム（４）との衝突によって上昇し、回転の後下部に下降する場合、方向転換台（２０）によって上部移動レールに上がって下降できるようにする請求項１に記載の回転型スクリーン移送装置。
【発明の詳細な説明】
【技術分野】
【０００１】
本発明の回転型スクリーン移送装置は、レーキアーム４が上部排出部から２７０゜〜３６０゜回転して、夾雑物が前に排出され、夾雑物移送コンベヤーが３前方に位置するので、スクリーンの裏側の空間が広くなって空間を利用することができ、これにより装置全体の大きさを小型化することができる。
【０００２】
また、従来方式に比べて、メンテナンス用ホイストを２ｍ以上低く設置することができるので、取付費を低減できるとともに、これにより発生する事故を予防する效果を奏する。
【０００３】
本発明の回転型移送スクリーン装置の技術分野は、上下水道処理処置の夾雑物処理装置に利用されている。
【背景技術】
【０００４】
本発明の回転型スクリーン移送装置の背景技術としては、スクリーンバーとバーとの間を固定させる固定式スクリーン装置が存在し、メンテナンス用ホイストが高く設置されて危険性が高まり、夾雑物移送コンベヤーの高さも高くて危険性が多く存在した。
【０００５】
従って、危険性が常に存在し、スクリーン装置の製作費も高価で製造した。
【発明の概要】
【発明が解決しようとする課題】
【０００６】
本発明の回転型スクリーン移送装置の解決しようとする課題は、
１．製作費低減
２．メンテナンス用ホイストの高さを低くして危険の減少
３．ワークウェイ（ｗｏｒｋ  ｗａｙ）が必要ないようにすること
４．固定バーを固定させなくても作動可能にすること
【課題を解決するための手段】
【０００７】
本発明の回転型スクリーン移送装置の課題解決手段は、
１．従来の電動方式ではなく、従来の下部油圧シリンダー１による滑車作動方式を利用して、スクリーン上部の露出部が１／３程度低くなって、上部の作業台が必要なくなり、夾雑物移送コンベヤー３の高さが低くなって、メンテナンス及び管理が容易で目に入りやすくて取付費及び製造費を低減することができる。
２．従来方式と異なって、スクリーン２の上部の露出高さを２ｍ以上低く設置して、取付費の低減及び安全性を高めることができる。
３．夾雑物移送コンベヤー３を前面に設置してワークウェイが必要なくなる。
４．固定バーを固定させなくてもスクリーンバー８の間に七角錐形のガイドギア６が付着されてレーキアーム４によって回転されるので常にスクリーンバーの間隔は同一である。
【発明の効果】
【０００８】
本発明の回転型スクリーン装置の效果としては、
１．レーキアーム４を上部排出部から２７０゜〜３６０゜回転して、夾雑物が前方へ排出されるようにし、夾雑物移送コンベヤ３が前面に位置するので、スクリーンの裏側の空間が広くなって、空間を利用することができ、装置全体を小型化させることができる。
２．夾雑物を引き上げるレーキアーム４の移動ロ−ル５の衝撃を防止し、その機能を向上させるために移動レールの両側にテフロン（登録商標）パッド７を付着して容易に移動できるようにし、下部開始点の正確な合わせのためにガイドギア６を備えてその效果を高める。
３．スクリーンバー８を固定化しなくてレーキアーム４が深く浸透され、スクリーンバー８の間に７角錐形のガイドギア６を設置して異物をさらによく取り除くことができる。
４．装置の小型化によって製造費の低減とともに、安全性をさらに高めることができる。
【図面の簡単な説明】
【０００９】
【図１】従来のスクリーン移送装置の概略的な断面図である。
【図２】本発明の回転型スクリーン移送装置の運行前の滑車との連結関係が省略された概略的な断面図である。
【図３】本発明の回転型スクリーン移送装置の運行中の保護装置が省略された拡大斜視図である。
【図４】本発明の回転型スクリーン移送装置の夾雑物処理中の概略的な斜視図である。
【図５】本発明の回転型スクリーン移送装置におけるガイドギアとてレーキアームとの間の連結関係が示された拡大斜視図である。
【図６】本発明の回転型スクリーン移送装置におけるレーキアームの移送断面図である。
【発明を実施するための形態】
【００１０】
本発明の回転型スクリーン移送装置に対する具体的な内容は添付図面を参照して詳しく説明する。
図１は従来のスクリーン移送装置の概略的な断面図であり、図２は本発明の回転型スクリーン移送装置の運行前の滑車との連結関係が省略された概略的な断面図であり、図３は本発明の回転型スクリーン移送装置の運行中の保護装置が省略された拡大斜視図であり、図４は本発明の回転型スクリーン移送装置の夾雑物処理中の概略的な斜視図であり、図５は本発明の回転型スクリーン移送装置におけるガイドギアとレーキアームとの間の連結関係が示された拡大斜視図であり、図６は本発明の回転型スクリーン移送装置におけるレーキアームの移送断面図である。
図３のように、レーキアーム４がスクリーン２の移動経路上に位置して従来に慣用化された技術である油圧シリンダー１によってコントロ−ル滑車１１ａ、１１ｂ、１１ｃ、１１ｄと移送滑車２１ａ、２１ｂ、２１ｃ、３１ａ、３１ｂ、３１ｃと転換滑車４１ａ、４１ｂ、４１ｃ、４１ｄの引き押し方式によって移動ロ−ル５が備えられたレーキアーム４が上昇及び下降を繰り返すことができるように備えられ、レーキアーム４を上部排出部から２７０゜〜３６０゜回転して、夾雑物が前に排出されるようにし、夾雑物移送コンベヤ３が前面に位置するので、スクリーンの裏側の空間が広くなって、空間を利用することができ、装置全体を小型化させることができる。
また夾雑物を引き上げるレーキアーム４に容易に移動できるように移動ロ−ル５が備えられ、移動ロ−ル５の衝撃を防止し、その機能を向上させるために移動レールの両側にテフロンパッド７を付着して容易に移動できるようにし、下部開始点の正確な合わせのためにガイドギア６を備えて、その間隔を従来のように固定バーを利用して固定させなくても間隔を一定に保持させることができ、スクリーンバー８を固定化しなくて、レーキアーム４が深く浸透され、スクリーンバー８の間に７角錐形のガイドギア６を設置してレーキアーム４によって回転しながら異物をよく取り除くことができる。
さらに、スクリーン３の上部にレーキアーム４の方向を転換するために設置された方向転換台が設置されて、上部に移動の時には方向転換台２０がレーキアーム４との衝突によって上昇し、回転の後、下部に下降する場合、方向転換台２０によって上部移動レールに上がって下降できるようにする。
最後に、装置の小型化によって製造費の低減でき、移送コンベヤー３が前面に位置し、ワークウェイ（ｗｏｒｋ  ｗａｙ）が必要なく、メンテナンス用ホイストの高さを低くすることで安全性を高めることができる。
【符号の説明】
【００１１】
１．油圧シリンダー
２．スクリーン
３．移送コンベヤー
４．レーキアーム
５．移動ロ−ル
６．ガイドギア
７．テフロンパッド
８．スクリーンバー
９．作業台
１０．保護カバー
２０．方向転換台
【図１】
2012504712.tif 000003
【図２】
2012504712.tif 000004
【図３】
2012504712.tif 000005
【図４】
2012504712.tif 000006
【図５】
2012504712.tif 000007
【図６】
2012504712.tif 000008
【国際調査報告】
2012504712.tif 000009
2012504712.tif 000010